(57)【要約】【課題】  気体が洩れて弾まなくなった硬式テニスボールを本装置に固定し、注射針がさほど強度を持たなくても曲がることなくボールに差込むことが出来、注射針を抜いた後もエア漏れが無く、さらに作業時に注射針に容易に触れることが出来ないようにした硬式テニスボールのエア注入装置を提供する。【解決手段】  台座１に支柱２を垂直に起立させ、この支柱２に上下方向に滑動自在なエア注入針４の支持板３を組付け、そしてこの支持板３にテニスボールのエア注入針４を下方に向けて取付けると共に、前記支柱２の下方にテニスボールを保持する保持環５を前記支持板３と対設して平行に固着し、前記エア注入針４の針先４ａがこのボール保持環５の中心に向けて位置付けられようにした。【選択図】  図１
2006255270.tif 000002
【特許請求の範囲】
【請求項１】
台座（１）に支柱（２）を垂直に起立させ、この支柱（２）に上下方向に滑動自在なエア注入針（４）の支持板（３）を組付け、そしてこの支持板（３）にテニスボールのエア注入針（４）を下方に向けて取付けると共に、前記支柱（２）の下方にテニスボールを保持する保持環（５）を前記支持板（３）と対設して平行に固着し、前記エア注入針（４）の針先（４ａ）がこのボール保持環（５）の中心に向けて位置付けられようにした硬式テニスボールのエア注入装置。
【請求項２】
前記注入針支持板（３）がＬ字型であって、その一方の短片（３ａ）を支柱（２）に組付け、そしてこの短片（３ａ）から９０度に折り曲げられた他方の長片（３ｂ）の略中央にテニスボールのエア注入針（４）を下方に向けて取付けた請求項１記載の硬式テニスボールのエア注入装置。
【請求項３】
前記注入針（４）のエア注入口（４ｂ）に液状の接着剤を少量あらかじめ注入しておきエア注入時にエアと一緒に接着剤をボール内に注入するようにした請求項１記載の硬式テニスボールのエア注入装置。
【請求項４】
前記注入針支持板（３）の長片（３ｂ）の背面には注入針（４）の針先周囲を取り囲むガード（６）を設けた請求項１記載の硬式テニスボールのエア注入装置。
【発明の詳細な説明】
【技術分野】
【０００１】
本発明は、気体が洩れて弾まなくなったテニスボールの内部圧力を均一的に復元し、その後のエア洩れを防止する硬式テニスボールのエア注入装置に関する。
【背景技術】
【０００２】
硬式テニスボールに空気を入れて内部圧力を高め、その後のエア漏れを防止する方法がいろいろと提案されている。例えば特許文献１のものは、空気ポンプで充気後、同一注入孔より流動性の液状接着剤を注入器でボール内壁に固着させて空気洩れの皮膜を作るようにしたものである。このものはボールの内部圧力を高めて液状接着剤で注入孔からの洩れを防止することはできるが、針とボールのいずれも固定されていないため注入時に針が曲がり易く作業がしづらいという問題があった。特許文献２のものは、ボールを押さえ込む蓋に設けた注射針の挿入孔をボール内周面のほぼ接線方向に設定することによりその後の注射針穴からのエア洩れを防止することを目的としている。また特許文献３のものは、一端に自転車空気注入ポンプのノズルに固定する係止部と、他端にテニスボールの空気注入口に挿し込む注入部を有するエア注入針を開示するがボールの固定手段に関しては何ら開示されていない。
【特許文献１】実開昭６０−６６３６２号
【特許文献２】特告昭６０−１９２５８号
【特許文献３】実開昭５６−２３５６４号
【発明の開示】
【発明が解決しようとする課題】
【０００３】
本発明は、気体が洩れて弾まなくなった硬式テニスボールを本装置に固定し、注射針がさほど強度を持たなくても曲がることなくボールに差込むことが出来、注射針を抜いた後もエア漏れが無く、さらに作業時に注射針に容易に触れることが出来ないようにした硬式テニスボールのエア注入装置を提供する。
【課題を解決するための手段】
【０００４】
本発明の硬式テニスボールエア注入装置は、請求項１記載のように、台座１に支柱２を垂直に起立させ、この支柱２に上下方向に滑動自在なエア注入針４の支持板３を組付け、そしてこの支持板３にテニスボールのエア注入針４を下方に向けて取付けると共に、前記支柱２の下方にテニスボールを保持する保持環５を前記支持板３と対設して平行に固着し、前記エア注入針４の針先４ａがこのボール保持環５の中心に向けて位置付けられようにしたことを特徴とする。
【０００５】
また請求項２に記載のように、前記注入針支持板３がＬ字型であって、その一方の短片３ａを支柱２に組付け、そしてこの短片３ａから９０度に折り曲げられた他方の長片３ｂの略中央にテニスボールのエア注入針４を下方に向けて取付けたものである。
【０００６】
また請求項３に記載のように、前記注入針４のエア注入口４ｂに液状の接着剤を少量あらかじめ注入しておきエア注入時にエアと一緒に接着剤をボール内に注入するようにした。
【０００７】
さらに請求項４に記載のように、前記注入針支持板３の長片３ｂの背面には注入針４の針先周囲を取り囲むガード６を設けたことなどを特徴としている。
【発明の効果】
【０００８】
本発明のテニスボールのエア注入装置は、注入針とボールを固定した状態で注入針をボールの中心に向けて確実に刺し込むことができるので針が曲がる心配もなく作業がし易い。またゲージ付きのエアポンプで内圧状態を計りながらエア充填を行うので所定のボール内圧を付与できる。さらにエアと同時に液状の接着剤を少量注入することにより、その後のエア洩れを防ぐことが出来る。また注入針の針先の周りにガード部材を設けたので作業時に注入針に手が触れてケガすることも無いなどの効果がある。
【発明を実施するための最良の形態】
【０００９】
本発明を実施するための最良の形態は、卓上又は床面に置くことの出来る水平な台座に支柱を垂直に起立させ、この支柱に上下方向に滑動自在な注入針支持板を組み付け、この支持板を上下動させ、下方に固定したテニスボールへエア注入針を差込み、エアポンプでエアを注入するようにしたものである。またエア洩れしないようにエア充填時に同時に接着剤を注入するようにする。
【実施例】
【００１０】
すなわち本発明のテニスボールのエア注入装置は、図１に示すように卓上又は床面に置くことの出来る水平な台座１に支柱２を垂直に起立させ、この支柱２に上下方向に滑動自在なＬ字型の注入針支持板３の短片３ａを組付ける。そしてこの短片３ａから９０度に折り曲げられた他方の長片３ｂの長手方向略中央にテニスボールのエア注入針４を下方に向けて取付けてある。また前記支柱２の下方にはテニスボールを保持する金属製又は樹脂製のバンド状のボール保持環５が前記支持板３の長片３ｂと対設して平行に設けられ、そして前記エア注入針４の針先４ａがこのボール保持環５の中心に向けて位置付けられている。また長片３ｂの背面には注入針４の針先４ａの周囲を取り囲むガード６が組み込まれており、このガード６の下方に伸びる複数本の突子６ａが作業時にエア注入針４の針先に触れないように指先をガードする。注入針支持板３の折り曲げ部に上方に向け設けられた取っ手７は支持板３を引き上げるためのものである。
【００１１】
本装置を用いて硬式テニスボールへエアを注入する場合は、図２に示すように取っ手７を持ち上げて注入針支持板３を引き上げ、テニスボール８のやや下側を保持環５に嵌めこみ、次いで注入針の支持板３を手で押し下げて注入針４の針先をボール８の内部まで突き通す。この状態を保つために該支持板３の短片３ａと支柱２とをボルト９とナット１０で共締めするようにしてある。詳述すれば、平板状の支柱２の上方２／３ほどが長穴２ａとなっており、Ｌ字型に屈曲させた注入針支持板３の短片３ａに設けたネジ穴から２個のボルト９を支柱２の背面側に長穴２ａを介して挿通し、２個のナット１０で各締め付けるようにした。
【００１２】
ボール内部の圧力を大気圧にした後、注入針４の上部注入口４ｂに液状の接着剤１１を容器１２から０．１ｍｌ程度注入し、ポンプ１３の口金１３ａを注入口４ｂにセットする。この状態でポンプ１３を用いてテニスボール８にエアを徐々に注入してボール内部の圧力が100ｋＰａ程度に達したらポンプ１３から手を離し、片方の手でボール８を押さえ、もう一方の手で取っ手７を持ち上げてボール８から注入針４を抜いて作業を終える。
【００１３】
エア注入後、テニスボール８を保持環５から取り出し、注入針４を差込んだ針穴を下にして置くと、ボール内部に注入された液状の接着剤は下側に溜り、圧力の低い外部へ逃げようとするエアに誘導されて差込んだ針穴に留まり開けた針穴を塞ぐことができる。
【００１４】
尚、注入針４の針先の外径を０．４ｍｍ程度とすればゴムの弾力性により、殆どのボールは針穴からエアが洩れることはないが、万一洩れても液状の接着剤１１が塞いでくれる。注入針４の針先の長さは８ｍｍ程度にすればボール内部まで突き通すことができる。液状の接着剤１１は液状のりＰＶＡＬを主成分にパンク修理剤Ｔｙｒｅｗｅｌｄと調合して流動性と閉塞性を高め、ボール内部では外気に触れないのですぐには固着しないようにしてある。
【図面の簡単な説明】
【００１５】
【図１】本発明に係るテニスボールのエア注入装置の斜視図である。
【図２】使用状態の説明図である。
【符号の説明】
【００１６】
１  台座
２  支柱
３  注入針支持板
４  エア注入針
５  ボール保持環
６  ガード
７  取っ手
８  テニスボール
９  ボルト
１０  ナット
１１  液状の接着剤
１２  容器
１３  エアポンプ
【図１】
2006255270.tif 000003
【図２】
2006255270.tif 000004